(57)【要約】送信のための、多長ゼロテール（ＺＴ）の離散フーリエ変換拡散の直交周波数領域変調（ＤＦＴ−ｓ−ＯＦＤＭ）信号を生成するために、技術が使用されることができる。周波数リソースの選択された割り当ては、複数のサブバンドを含むことができる。ワイヤレス送信／受信ユニット（ＷＴＲＵ）（すなわちユーザ）に対してサブバンドが割り当てられてよく、シンボル間干渉（ＩＳＩ）を抑制するために、パターンに従って割り当てられたサブバンドの各々に対してゼロヘッドの長さおよびゼロテールの長さが割り当てられてよい。割り当てられたゼロヘッドの長さおよび割り当てられたゼロテールの長さに従って、割り当てられたサブバンドにわたる送信のための、ＺＴのＤＦＴ−ｓ  ＯＦＤＭ信号が生成されてよい。
2019501560.tif 000002
【特許請求の範囲】
【請求項１】
送信のための、多長ゼロテール（ＺＴ）の離散フーリエ変換拡散の直交周波数領域変調（ＤＦＴ−ｓ−ＯＦＤＭ）信号を生成するための方法であって、
送信のための周波数リソースの割り当てを選択するステップであって、前記周波数リソースは複数のサブバンドを含むステップと、
前記複数のサブバンドのうちの少なくとも１つのサブバンドを複数のワイヤレス送信／受信ユニット（ＷＴＲＵ）の各々に割り当てて、割り当てられたサブバンドを生成するステップと、
シンボル間干渉（ＩＳＩ）を抑制するためのパターンに従って、ゼロヘッドの長さおよびゼロテールの長さを、前記割り当てられたサブバンドの各々に割り当てるステップと、
前記割り当てられたゼロヘッドの長さおよび前記割り当てられたゼロテールの長さに従って、前記割り当てられたサブバンドにわたる送信のためのＺＴのＤＦＴ−ｓ  ＯＦＤＭ信号を生成するステップと、
前記割り当てられた周波数リソースにおいて、前記ＺＴのＤＦＴ−ｓ  ＯＦＤＭ信号を送信するステップと
を備える方法。
【請求項２】
前記パターンは、隣接したサブバンド間で、前記ゼロヘッドの長さおよび前記ゼロテールの長さを徐々に変化させることを含む請求項１に記載の方法。
【請求項３】
前記複数のサブバンドのうちの前記少なくとも１つのサブバンドを前記複数のＷＴＲＵの各々に割り当てる前記ステップは、隣接したサブバンドを、類似したチャネル遅延プロファイルを有するＷＴＲＵに割り当てるステップを含む請求項１に記載の方法。
【請求項４】
前記複数のサブバンドのうちの前記少なくとも１つのサブバンドを前記複数のＷＴＲＵの各々に割り当てる前記ステップは、少なくとも１つのサブバンドを、セルにおけるすべてのＷＴＲＵ向けに意図された共通チャネル情報に割り当てるステップを含み、前記対応する割り当てられたゼロヘッドの長さおよびゼロテールの長さは、前記セルにおける前記すべてのＷＴＲＵに関するチャネル遅延プロファイルを満たすために十分に長くなるように選択されている請求項１に記載の方法。
【請求項５】
前記ゼロヘッドの長さおよび前記ゼロテールの長さを前記割り当てられたサブバンドの各々に割り当てる前記ステップは、第１のタイムスロットにおける第１の割り当てられたサブバンドに対する前記割り当てられたゼロヘッドの長さおよびゼロテールの長さが、前記第１のタイムスロットに直接続く第２のタイムスロットにおける前記第１の割り当てられたサブバンドに対する前記割り当てられたゼロヘッドの長さおよび前記ゼロテールの長さと異なるように、割り当てられた時限内の各タイムスロットにおいて繰り返される請求項１に記載の方法。
【請求項６】
受信ＷＴＲＵが前記ゼロヘッドの長さおよび前記ゼロテールの長さを決定することができるように、送信のための第１の生成されたＺＴのＤＦＴ−ｓ  ＯＦＤＭ信号に対して、優れた相関特性を有する既知のシーケンスを適用するステップをさらに備える請求項１に記載の方法。
【請求項７】
前記既知のシーケンスは、一定振幅ゼロ自己相関（ＣＡＺＡＣ）シーケンス、ｍ−シーケンスまたはゴールドシーケンスである請求項６に記載の方法。
【請求項８】
前記多長ＺＴのＤＦＴ−ｓ  ＯＦＤＭ信号を生成する前記ステップは、前記多長ＺＴのＤＦＴ−ｓ  ＯＦＤＭ信号の前記時間領域にゼロを挿入して、前記多長ＺＴのＤＦＴ−ｓ  ＯＦＤＭ信号のゼロにされた部分を生成するステップを含む請求項１に記載の方法。
【請求項９】
前記多長ＺＴのＤＦＴ−ｓ  ＯＦＤＭ信号の前記ゼロにされた部分に、極めて信頼できる低遅延のデータを挿入するステップをさらに備える請求項８に記載の方法。
【請求項１０】
前記多長ＺＴのＤＦＴ−ｓ  ＯＦＤＭ信号の前記ゼロにされた部分の間に測定が遂行される請求項８に記載の方法。
【請求項１１】
送信のための、多長ゼロテール（ＺＴ）の離散フーリエ変換拡散の直交周波数領域変調（ＤＦＴ−ｓ−ＯＦＤＭ）信号を生成するように構成された送信デバイスであって、前記送信デバイスは、
プロセッサと少なくとも１つのアンテナとに結合されたトランシーバを備え、
前記プロセッサは、送信のための周波数リソースの割り当てを選択するように構成されており、前記周波数リソースは複数のサブバンドを含み、
前記プロセッサは、前記複数のサブバンドのうちの少なくとも１つのサブバンドを複数のワイヤレス送信／受信ユニット（ＷＴＲＵ）の各々に割り当てて、割り当てられたサブバンドを生成するように構成されており、
前記プロセッサは、シンボル間干渉（ＩＳＩ）を抑制するためのパターンに従って、ゼロヘッドの長さおよびゼロテールの長さを、前記割り当てられたサブバンドの各々に割り当てるように構成されており、
前記プロセッサは、前記割り当てられたゼロヘッドの長さおよび前記割り当てられたゼロテールの長さに従って、前記割り当てられたサブバンドにわたる送信のためのＺＴのＤＦＴ−ｓ  ＯＦＤＭ信号を生成するように構成されており、
前記トランシーバは、前記割り当てられた周波数リソースにおいて、前記ＺＴのＤＦＴ−ｓ  ＯＦＤＭ信号を送信するように構成されている送信デバイス。
【請求項１２】
前記パターンは、隣接したサブバンド間の前記ゼロテールの長さを徐々に変化させることを含む請求項１１に記載の送信デバイス。
【請求項１３】
前記プロセッサは、隣接したサブバンドを、類似したチャネル遅延プロファイルを有するＷＴＲＵに割り当てることにより、前記複数のサブバンドのうちの前記少なくとも１つのサブバンドを前記複数のＷＴＲＵの各々に割り当てるように構成されている請求項１１に記載の送信デバイス。
【請求項１４】
前記プロセッサは、少なくとも１つのサブバンドを、セルにおけるすべてのＷＴＲＵ向けに意図された共通チャネル情報に割り当てることにより、前記複数のサブバンドのうちの前記少なくとも１つのサブバンドを前記複数のＷＴＲＵの各々に割り当てるように構成されており、前記対応する割り当てられたゼロヘッドの長さおよびゼロテールの長さは、前記セルにおける前記すべてのＷＴＲＵに関するチャネル遅延プロファイルを満たすために十分に長くなるように選択されている請求項１１に記載の送信デバイス。
【請求項１５】
前記プロセッサは、第１のタイムスロットにおける第１の割り当てられたサブバンドに対する前記割り当てられたゼロヘッドの長さおよびゼロテールの長さが、前記第１のタイムスロットに直接続く第２のタイムスロットにおける前記第１の割り当てられたサブバンドに対する前記割り当てられたゼロヘッドの長さおよび前記ゼロテールの長さと異なるように、前記ゼロヘッドの長さおよび前記ゼロテールの長さを、割り当てられた時限内の各タイムスロットにおける前記割り当てられたサブバンドの各々に割り当てるように構成されている請求項１１に記載の送信デバイス。
【請求項１６】
前記プロセッサは、受信ＷＴＲＵが前記ゼロヘッドの長さおよび前記ゼロテールの長さを決定することができるように、送信のための第１の生成されたＺＴのＤＦＴ−ｓ  ＯＦＤＭ信号に対して、優れた相関特性を有する既知のシーケンスを適用するようにさらに構成されている請求項１１に記載の送信デバイス。
【請求項１７】
前記既知のシーケンスは、一定振幅ゼロ自己相関（ＣＡＺＡＣ）シーケンス、ｍ−シーケンスまたはゴールドシーケンスである請求項１６に記載の送信デバイス。
【請求項１８】
前記プロセッサは、前記多長ＺＴのＤＦＴ−ｓ  ＯＦＤＭ信号の前記時間領域にゼロを挿入して、前記多長ＺＴのＤＦＴ−ｓ  ＯＦＤＭ信号のゼロにされた部分を生成することにより、前記多長ＺＴのＤＦＴ−ｓ  ＯＦＤＭ信号を生成するように構成されている請求項１１に記載の送信デバイス。
【請求項１９】
前記プロセッサは、前記多長ＺＴのＤＦＴ−ｓ  ＯＦＤＭ信号の前記ゼロにされた部分に、極めて信頼できる低遅延のデータを挿入するようにさらに構成されている請求項１８に記載の送信デバイス。
【請求項２０】
前記多長ＺＴのＤＦＴ−ｓ  ＯＦＤＭ信号のゼロにされた部分の間に測定が遂行される請求項１８に記載の送信デバイス。
【発明の詳細な説明】
【技術分野】
【０００１】
本発明は、無線通信に関する。
【背景技術】
【０００２】
関連出願の相互参照
本出願は、参照により完全に記載されているかのように組み込まれる、２０１５年１１月４日に出願した米国特許仮出願第６２／２５０，５８４号明細書、および２０１６年４月２２日に出願した米国特許仮出願第６２／３２６，５５５号明細書の利益を主張するものである。
【発明の概要】
【課題を解決するための手段】
【０００３】
送信のための、多長ゼロテール（ＺＴ）の離散フーリエ変換拡散の直交周波数領域変調（ＤＦＴ−ｓ−ＯＦＤＭ）信号を生成するために、技術が使用されることができる。周波数リソースの選択された割り当ては、複数のサブバンドを含むことができる。ワイヤレス送信／受信ユニット（ＷＴＲＵ）（すなわちユーザ）に対してサブバンドが割り当てられてよく、シンボル間干渉（ＩＳＩ）を抑制する（combat）ために、パターンに従って割り当てられたサブバンドの各々に対してゼロヘッドの長さおよびゼロテールの長さが割り当てられてよい。割り当てられたゼロヘッドの長さおよび割り当てられたゼロテールの長さに従って、割り当てられたサブバンドにわたる送信のための、ＺＴのＤＦＴ−ｓ  ＯＦＤＭ信号が生成されてよい。
【図面の簡単な説明】
【０００４】
添付の図面とともに例として示される以下の記述から、より詳細な理解が得られることができる。
【０００５】
【図１Ａ】１つまたは複数の開示された実施形態が実施されることができる例示の通信システムのシステム図である。
【図１Ｂ】図１Ａに示された通信システムの内部で使用されることができる例示のワイヤレス送信／受信ユニット（ＷＴＲＵ）のシステム図である。
【図１Ｃ】図１Ａに示された通信システムの内部で使用されることができる例示の無線アクセスネットワークおよび例示のコアネットワークのシステム図である。
【図２】ゼロテール（ＺＴ）の離散フーリエ変換拡散の直交周波数領域変調（ＤＦＴ−ｓ−ＯＦＤＭ）信号を生成するための例示のシステムのブロック図である。
【図３Ａ】図３Ｂのものとは異なるヘッドのゼロパディングサイズおよびテールのゼロパディングサイズを有する、ＺＴのＤＦＴ−ｓ−ＯＦＤＭ信号の時間領域表現のグラフである。
【図３Ｂ】図３Ａのものとは異なるヘッドのゼロパディングサイズおよびテールのゼロパディングサイズを有する、ＺＴのＤＦＴ−ｓ−ＯＦＤＭ信号の時間領域表現のグラフである。
【図４】ＷＴＲＵに割り当てられた異なるサブバンドは異なるゼロヘッドのサイズおよび／またはゼロテールのサイズを有する、同じＷＴＲＵに対する例示のサブバンド割り当ての割り当て図である。
【図５Ａ】ＤＬ送信におけるＮ個のサブバンドに関する例示のサブバンド構成の構成図である。
【図５Ｂ】ＤＬ送信におけるＮ個のサブバンドに関する例示のサブバンド構成の構成図である。
【図６】多長ＺＴのＤＦＴ−ｓ−ＯＦＤＭマルチユーザ信号を生成するための例示のシステムのブロック図である。
【図７Ａ】異なるヘッドのゼロパディングサイズパラメータおよびテールのゼロパディングサイズパラメータを有する、シミュレートされた２ユーザシステムに関するＺＴのＤＦＴ−ｓ−ＯＦＤＭ信号の時間領域表現のグラフである。
【図７Ｂ】図７Ａの第１のＷＴＲＵのビット誤り率（ＢＥＲ）性能対Ｓ／Ｎ比（ＳＮＲ）をデシベルで表したグラフである。
【図８】共通チャネル送信を生成するための、例示の多長ＺＴのＤＦＴ−ｓ−ＯＦＤＭシステムのブロック図である。
【図９】多長ＺＴのＤＦＴ−ｓ−ＯＦＤＭ信号に対する例示の周波数リソース割り当ての割り当て図である。
【図１０】多長ＺＴのＤＦＴ−ｓ−ＯＦＤＭ信号に対する例示の時変周波数リソース割り当ての割り当て図である。
【図１１Ａ】多長ＺＴのＤＦＴ−ｓ−ＯＦＤＭ信号に対する、キャリアアグリゲーション（carrier aggregation）下の例示の周波数リソース割り当ての割り当て図である。
【図１１Ｂ】多長ＺＴのＤＦＴ−ｓ−ＯＦＤＭ信号に対する、キャリアアグリゲーション下の例示の周波数リソース割り当ての割り当て図である。
【図１２】２つのＷＴＲＵ用のＺＴのＤＦＴ−ｓ−ＯＦＤＭ信号の時間領域表現のグラフである。
【図１３】ＺＴのＤＦＴ−ｓ−ＯＦＤＭ信号に対する例示のリソース割り当ての例示の割り当て図である。
【図１４】ゼロヘッドのサイズパラメータおよびゼロテールのサイズパラメータを検知するために受信ＷＴＲＵによって使用されることができる例示のプリアンブル割り当ての割り当て図である。
【図１５】ゼロヘッドのサイズパラメータおよびゼロテールのサイズパラメータを検知するために受信ＷＴＲＵによって使用されることができる別の例示のプリアンブル割り当ての割り当て図である。
【図１６】送信のための、多長ＺＴのＤＦＴ−ｓ−ＯＦＤＭ信号を生成するための、例示のプロシージャの流れ図である。
【発明を実施するための形態】
【０００６】
本明細書で説明される実施形態は、全体的なセルラーシステムのための固定数秘学（fixed numerology）下で、ユーザと、異なるガード時間との共存を可能にする方法、システム、および装置を含むことができる。そのため、各ユーザ向けに意図された信号は、１つのサブバンドごとに、システムにおける他のユーザから異なってよい異なるガードタイムを採用することができる。このことは、不必要なオーバヘッドを低減して、システムの全体的なスループットを向上させることができる。
【０００７】
図１Ａは、１つまたは複数の開示された実施形態が実施されることができる例示の通信システム１００の図である。通信システム１００は、複数のワイヤレスユーザに対して、音声、データ、ビデオ、メッセージ、ブロードキャストなどの内容を提供する多重アクセスシステムでよい。通信システム１００は、複数のワイヤレスユーザが、ワイヤレス帯域幅を含むシステムリソースを共有することによってそのようなコンテンツにアクセスすることを可能にすることができる。たとえば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、単一搬送波ＦＤＭＡ（ＳＣ−ＦＤＭＡ）などの１つまたは複数のチャネルアクセス方式を採用することができる。
【０００８】
図１Ａに示されるように、通信システム１００は、ワイヤレス送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができるが、開示された実施形態は、任意数のＷＴＲＵ、基地局、ネットワーク、および／またはネットワーク要素を企図するものであることが理解されよう。ＷＴＲＵ  １０２ａ、１０２ｂ、１０２ｃ、１０２ｄの各々は、ワイヤレス環境において動作し、かつ／または通信するように構成された任意のタイプのデバイスでよい。例として、ＷＴＲＵ  １０２ａ、１０２ｂ、１０２ｃ、１０２ｄは、ワイヤレス信号を送信し、かつ／または受信するように構成されてよく、ユーザ機器（ＵＥ）、移動局、固定式または移動式の加入者ユニット、ポケットベル、携帯電話、携帯情報端末（ＰＤＡ）、スマートフォン、ラップトップコンピュータ、ネットブック、パーソナルコンピュータ、ワイヤレスセンサ、民生用電子機器などを含むことができる。
【０００９】
通信システム１００は、基地局１１４ａおよび基地局１１４ｂも含むことができる。基地局１１４ａ、１１４ｂの各々は、ＷＴＲＵ  １０２ａ、１０２ｂ、１０２ｃ、１０２ｄのうちの少なくとも１つとワイヤレスで接続してコアネットワーク１０６、インターネット１１０、および／または他のネットワーク１１２などの１つまたは複数の通信ネットワークに対するアクセスを容易にするように構成された任意のタイプのデバイスでよい。例として、基地局１１４ａ、１１４ｂは、ベーストランシーバ局（ＢＴＳ）、ノード−Ｂ、ｅＮｏｄｅ  Ｂ、ホームノードＢ、ホームｅＮｏｄｅ  Ｂ、サイトコントローラ、アクセスポイント（ＡＰ）、ワイヤレスルータなどでよい。基地局１１４ａ、１１４ｂはそれぞれが単一要素として表されているが、基地局１１４ａ、１１４ｂは、任意数の相互接続された基地局および／またはネットワーク要素を含むことができることが理解されよう。
【００１０】
基地局１１４ａはＲＡＮ  １０４の一部分でよく、これらは、基地局コントローラ（ＢＳＣ）、無線ネットワークコントローラ（ＲＮＣ）、中継ノードなどの他の基地局および／またはネットワーク要素（図示せず）も含むことができる。基地局１１４ａおよび／または基地局１１４ｂは、セル（図示せず）と称されることがある特定の地理的領域の範囲内のワイヤレス信号を送信し、かつ／または受信するように構成されてよい。セルはセルセクタにさらに分割されてよい。たとえば、基地局１１４ａに関連したセルが３つのセクタに分割されてよい。したがって、一実施形態では、基地局１１４ａは、３つのトランシーバ、すなわちセルの各セクタに対して１つずつ、を含むことができる。別の実施形態では、基地局１１４ａは多入力多出力（ＭＩＭＯ）技術を採用してよく、したがってセルのそれぞれのセクタに対して複数のトランシーバを利用することができる。
【００１１】
基地局１１４ａ、１１４ｂは、エアインターフェース１１６を通じてＷＴＲＵ  １０２ａ、１０２ｂ、１０２ｃ、１０２ｄのうちの１つまたは複数と通信することができ、エアインターフェースは、任意の適切なワイヤレス通信リンク（たとえば無線周波数（ＲＦ）、マイクロ波、赤外線（ＩＲ）、紫外線（ＵＶ）、可視光など）でよい。エアインターフェース１１６は、任意の適切な無線アクセス技術（ＲＡＴ）を使用して確立されてよい。
【００１２】
より具体的には、前述のように、通信システム１００は多重アクセスシステムでよく、ＣＤＭＡ、ＴＤＭＡ、ＦＤＭＡ、ＯＦＤＭＡ、ＳＣ−ＦＤＭＡなど１つまたは複数のチャネルアクセス方式を採用することができる。たとえば、ＲＡＮ  １０４における基地局１１４ａおよびＷＴＲＵ  １０２ａ、１０２ｂ、１０２ｃは、広帯域ＣＤＭＡ（ＷＣＤＭＡ）を使用してエアインターフェース１１６を確立することができるユニバーサルモバイルテレコミュニケーションシステム（ＵＭＴＳ）地上波無線アクセス（ＵＴＲＡ）などの無線技術を実施してよい。ＷＣＤＭＡは、高速パケットアクセス（ＨＳＰＡ）および／または発展型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１３】
別の実施形態では、基地局１１４ａおよびＷＴＲＵ  １０２ａ、１０２ｂ、１０２ｃは、（たとえば第３世代パートナーシッププログラム（３ＧＰＰ）で説明されているような）ロングタームエボリューション（ＬＴＥ）および／またはＬＴＥアドバンスト（ＬＴＥ−Ａ）を使用してエアインターフェース１１６を確立することができる発展型ＵＭＴＳ地上波無線アクセス（Ｅ−ＵＴＲＡ）などの無線技術を実施してよい。
【００１４】
他の実施形態では、基地局１１４ａおよびＷＴＲＵ  １０２ａ、１０２ｂ、１０２ｃは、ＩＥＥＥ  ８０２．１６（すなわちワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、グローバル移動体通信システム（ＧＳＭ）、ＧＳＭエボリューションのための高速データレート（ＥＤＧＥ）、ＧＳＭ  ＥＤＧＥ（ＧＥＲＡＮ）などの無線技術を実施することができる。
【００１５】
図１Ａの基地局１１４ｂは、たとえばワイヤレスルータ、ホームノードＢ、ホームｅＮｏｄｅ  Ｂ、またはアクセスポイントでよく、事業所、自宅、乗物、キャンパスなどの局所における無線接続性を助長するために任意の適切なＲＡＴを利用することができる。一実施形態では、基地局１１４ｂおよびＷＴＲＵ  １０２ｃ、１０２ｄは、ワイヤレスローカルエリアネットワーク（ＷＬＡＮ）を確立するためにＩＥＥＥ  ８０２．１１などの無線技術を実施してよい。別の実施形態では、基地局１１４ｂおよびＷＴＲＵ  １０２ｃ、１０２ｄは、ワイヤレスパーソナルエリアネットワーク（ＷＰＡＮ）を確立するためにＩＥＥＥ  ８０２．１５などの無線技術を実施してよい。さらに別の実施形態では、基地局１１４ｂおよびＷＴＲＵ  １０２ｃ、１０２ｄは、ピコセルまたはフェムトセルを確立するためにセルラーベースのＲＡＴ（たとえばＷＣＤＭＡ、ＣＤＭＡ２０００、ＧＳＭ、ＬＴＥ、ＬＴＥ−Ａなど）を利用することができる。図１Ａに示されるように、基地局１１４ｂはインターネット１１０に対する直接接続を有することができる。したがって、基地局１１４ｂは、インターネット１１０にアクセスするのにコアネットワーク１０６を介する必要はなくてよい。
【００１６】
ＲＡＮ  １０４が通信することができるコアネットワーク１０６は、ＷＴＲＵ  １０２ａ、１０２ｂ、１０２ｃ、１０２ｄのうちの１つまたは複数に対して音声、データ、アプリケーション、および／またはボイスオーバインターネットプロトコル（ＶｏＩＰ）サービスを提供するように構成された任意のタイプのネットワークでよい。たとえば、コアネットワーク１０６は、呼制御、課金サービス、モバイルロケーションベースのサービス、プリペイドコーリング、インターネット接続、ビデオ配信などを提供してよく、かつ／またはユーザ認証など高レベルのセキュリティ機能を遂行してもよい。図１Ａには示されていないが、ＲＡＮ  １０４および／またはコアネットワーク１０６は、ＲＡＮ  １０４と同じＲＡＴまたは別のＲＡＴを採用する他のＲＡＮと直接的または間接的に通信してよいことが理解されよう。たとえば、コアネットワーク１０６は、Ｅ−ＵＴＲＡ無線技術を利用することができるＲＡＮ  １０４に接続されていることに加えて、ＧＳＭ無線技術を採用している別のＲＡＮ（図示せず）と通信することもできる。
【００１７】
コアネットワーク  １０６は、ＷＴＲＵ  １０２ａ、１０２ｂ、１０２ｃ、１０２ｄがＰＳＴＮ  １０８、インターネット１１０、および／または他のネットワーク１１２にアクセスするためのゲートウェイとしても働くことができる。ＰＳＴＮ  １０８は、一般電話サービス（ＰＯＴＳ）を提供する回路交換の電話ネットワークを含むことができる。インターネット１１０は、ＴＣＰ／ＩＰインターネットプロトコルスイートにおいて送信制御プロトコル（ＴＣＰ）、ユーザデータグラムプロトコル（ＵＤＰ）およびインターネットプロトコル（ＩＰ）などの一般的な通信プロトコルを使用する、相互に接続されたコンピュータネットワークおよびデバイスの地球規模のシステムを含むことができる。ネットワーク１１２は、他のサービスプロバイダによって所有され、かつ／または動作される、有線またはワイヤレスの通信ネットワークを含むことができる。たとえば、ネットワーク１１２は、ＲＡＮ  １０４と同じＲＡＴまたは別のＲＡＴを採用することができる１つまたは複数のＲＡＮに接続された別のコアネットワークを含むことができる。
【００１８】
通信システム１００のＷＴＲＵ  １０２ａ、１０２ｂ、１０２ｃ、１０２ｄのうちのいくつかまたはすべてがマルチモード能力を含むことができ、すなわちＷＴＲＵ  １０２ａ、１０２ｂ、１０２ｃ、１０２ｄは、別のワイヤレスリンクを通じて別のワイヤレスネットワークと通信するための複数のトランシーバを含むことができる。たとえば、図１Ａに示されたＷＴＲＵ  １０２ｃは、セルラーベースの無線技術を採用することができる基地局１１４ａ、およびＩＥＥＥ  ８０２無線技術を採用することができる基地局１１４ｂと通信するように構成されてよい。
【００１９】
図１Ｂは例示のＷＴＲＵ  １０２のシステム図である。図１Ｂに示されるように、ＷＴＲＵ  １０２は、プロセッサ１１８、トランシーバ１２０、送信／受信要素１２２、スピーカ／マイクロフォン１２４、キーパッド１２６、ディスプレイ／タッチパッド１２８、取外し不能記憶装置１３０、取外し可能記憶装置１３２、電源１３４、全地球測位システム（ＧＰＳ）チップセット１３６、および他の周辺装置１３８を含むことができる。ＷＴＲＵ  １０２は、実施形態との整合を保ちながら、前述の要素の任意の部分的組合せを含むことができることが理解されよう。
【００２０】
プロセッサ１１８は、汎用プロセッサ、専用プロセッサ、従来のプロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、何らかの他のタイプの集積回路（ＩＣ）、ステートマシンなどでよい。プロセッサ１１８は、信号符号化、データ処理、電力制御、入出力処理、および／またはＷＴＲＵ  １０２がワイヤレス環境で動作することを可能にする何らかの他の機能を遂行することができる。プロセッサ１１８は、送信／受信要素１２２に結合されることができるトランシーバ１２０に結合されてよい。図１Ｂは、プロセッサ１１８とトランシーバ１２０を分離した構成要素として表しているが、プロセッサ１１８とトランシーバ１２０が電子パッケージまたはチップにおいて一緒に統合されてよいことが理解されよう。
【００２１】
送信／受信要素１２２は、エアインターフェース１１６を通じて基地局（たとえば基地局１１４ａ）との間で信号を送信／受信するように構成されてよい。たとえば、一実施形態では、送信／受信要素１２２は、ＲＦ信号を送信し、かつ／または受信するように構成されたアンテナでよい。別の実施形態では、送信／受信要素１２２は、たとえばＩＲ信号、ＵＶ信号、または可視光信号を送信し、かつ／または受信するように構成された放射源／検知器でよい。さらに別の実施形態では、送信／受信要素１２２は、ＲＦ信号と光信号の両方を送信／受信するように構成されてよい。送信／受信要素１２２は、ワイヤレス信号の任意の組合せを送信し、かつ／または受信するように構成されてよいことが理解されよう。
【００２２】
加えて、送信／受信要素１２２は単一要素として図１Ｂに表されているが、ＷＴＲＵ  １０２は任意数の送信／受信要素１２２を含むことができる。より具体的には、ＷＴＲＵ  １０２はＭＩＭＯ技術を採用することができる。したがって、一実施形態では、ＷＴＲＵ  １０２は、エアインターフェース１１６を通じてワイヤレス信号を送受信するための２つ以上の送信／受信要素１２２（たとえば複数のアンテナ）を含むことができる。
【００２３】
トランシーバ１２０は、送信／受信要素１２２によって送信される信号を変調し、送信／受信要素１２２によって受信された信号を復調するように構成されてよい。前述のように、ＷＴＲＵ  １０２はマルチモード能力を有し得る。したがって、トランシーバ１２０は、ＷＴＲＵ  １０２が、たとえばＵＴＲＡおよびＩＥＥＥ８０２．１１など複数のＲＡＴ経由で通信することを可能にするための複数のトランシーバを含むことができる。
【００２４】
ＷＴＲＵ  １０２のプロセッサ１１８は、スピーカ／マイクロフォン１２４、キーパッド１２６、および／またはディスプレイ／タッチパッド１２８（たとえば液晶ディスプレイ（ＬＣＤ）表示ユニットまたは有機発光ダイオード（ＯＬＥＤ）表示ユニット）に結合されてユーザ入力データを受信することができる。プロセッサ１１８は、スピーカ／マイクロフォン１２４、キーパッド１２６、および／またはディスプレイ／タッチパッド１２８に対してユーザデータを出力することもできる。加えて、プロセッサ１１８は、取外し不能記憶装置１３０および／または取外し可能記憶装置１３２など任意のタイプの適切な記憶装置に対して、情報にアクセスしたり、データを記憶させたりすることができる。取外し不能記憶装置１３０は、ランダムアクセスメモリ（ＲＡＭ）、読取り専用メモリ（ＲＯＭ）、ハードディスク、または何らかの他のタイプのメモリ記憶デバイスを含むことができる。取外し可能記憶装置１３２は、加入者識別モジュール（ＳＩＭ）カード、メモリスティック、セキュアデジタル（ＳＤ）メモリカードなどを含むことができる。他の実施形態では、プロセッサ１１８は、サーバまたはホームコンピュータ（図示せず）など、ＷＴＲＵ  １０２上に物理的に配置されていない記憶装置に対して、情報にアクセスしたり、データを記憶させたりすることができる。
【００２５】
プロセッサ１１８は、電源１３４から電力を受け取ってよく、ＷＴＲＵ  １０２における他の構成要素に対して電力を分配し、かつ／または制御するように構成されてよい。電源１３４は、ＷＴＲＵ  １０２に給電するための任意の適切なデバイスでよい。たとえば、電源１３４は、１つまたは複数の乾電池バッテリー（たとえばニッケルカドミウム（ＮｉＣｄ）、ニッケル亜鉛（ＮｉＺｎ）、ニッケル金属水素化物（ＮｉＭＨ）、リチウムイオン（Ｌｉ−ｉｏｎ）など）、太陽電池、燃料電池などを含むことができる。
【００２６】
プロセッサ１１８は、ＷＴＲＵ  １０２の現在位置に関する位置情報（たとえば経度および緯度）を提供するように構成されることができるＧＰＳチップセット１３６に結合されてもよい。ＷＴＲＵ  １０２は、ＧＰＳチップセット１３６からの情報に加えて、もしくはその代わりに、エアインターフェース１１６を通じて基地局（たとえば基地局１１４ａ、１１４ｂ）から位置情報を受信してよく、かつ／または２つ以上の近くの基地局から受信されている信号のタイミングに基づいてその位置を判定してよい。ＷＴＲＵ  １０２は、実施形態との整合を保ちながら、任意の適切な位置判定方法によって位置情報を取得することができることが理解されよう。
【００２７】
プロセッサ１１８がさらに結合されることができる他の周辺装置１３８は、追加の特徴、機能および／または有線もしくはワイヤレスの接続性を提供する１つまたは複数のソフトウェアモジュールおよび／またはハードウェアモジュールを含むことができる。たとえば、周辺装置１３８は、加速度計、電子コンパス、衛星トランシーバ、デジタルカメラ（写真またはビデオ用）、ユニバーサルシリアルバス（ＵＳＢ）ポート、振動デバイス、テレビジョントランシーバ、ハンズフリーヘッドセット、ブルートゥース（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００２８】
図１Ｃは、実施形態によるＲＡＮ  １０４およびコアネットワーク１０６のシステム図である。前述のように、ＲＡＮ  １０４は、エアインターフェース１１６を通じてＷＴＲＵ  １０２ａ、１０２ｂ、１０２ｃと通信するためにＥ−ＵＴＲＡ無線技術を採用することができる。ＲＡＮ  １０４は、コアネットワーク１０６と通信することもできる。
【００２９】
ＲＡＮ  １０４は、ｅＮｏｄｅ−Ｂ  １４０ａ、１４０ｂ、１４０ｃを含むことができるが、実施形態との整合を保ちながら任意数のｅＮｏｄｅ−Ｂを含むことができることが理解されよう。ｅＮｏｄｅ−Ｂ  １４０ａ、１４０ｂ、１４０ｃのそれぞれが、エアインターフェース１１６を通じてＷＴＲＵ  １０２ａ、１０２ｂ、１０２ｃと通信するための１つまたは複数のトランシーバを含むことができる。一実施形態では、ｅＮｏｄｅ−Ｂ  １４０ａ、１４０ｂ、１４０ｃはＭＩＭＯ技術を実施することができる。したがって、ｅＮｏｄｅ−Ｂ  １４０ａは、たとえばＷＴＲＵ  １０２ａへのワイヤレス信号の送信およびＷＴＲＵ  １０２ａからのワイヤレス信号の受信のために、複数のアンテナを使用することができる。
【００３０】
ｅＮｏｄｅ−Ｂ  １４０ａ、１４０ｂ、１４０ｃの各々が、特定のセル（図示せず）に関連付けられてよく、無線リソース管理決定、ハンドオーバ決定、アップリンクおよび／またはダウンリンクにおけるユーザのスケジューリングなどを扱うように構成されてよい。図１Ｃに示されるように、ｅＮｏｄｅ−Ｂ  １４０ａ、１４０ｂ、１４０ｃはＸ２インターフェースを通じて互いに通信することができる。
【００３１】
図１Ｃに示されたコアネットワーク１０６は、モビリティ管理エンティティゲートウェイ（ＭＭＥ）１４２、サービングゲートウェイ１４４、およびパケットデータネットワーク（ＰＤＮ）ゲートウェイ１４６を含むことができる。前述の要素の各々がコアネットワーク１０６の一部分として表されているが、これらの要素のうちのいかなるものもコアネットワークオペレータ以外のエンティティによって所有されてよく、かつ／または動作されてよいことが理解されよう。
【００３２】
ＭＭＥ  １４２は、Ｓ１インターフェースを介して、ＲＡＮ  １０４におけるｅＮｏｄｅ−Ｂ  １４０ａ、１４０ｂ、１４０ｃの各々に接続されてよく、制御ノードとして働くことができる。たとえば、ＭＭＥ  １４２は、ＷＴＲＵ  １０２ａ、１０２ｂ、１０２ｃのユーザの認証、ベアラ活性化／非活性化、ＷＴＲＵ  １０２ａ、１０２ｂ、１０２ｃの初期接続（initial attach）中の特定のサービングゲートウェイの選択などを担当することができる。ＭＭＥ  １４２は、ＲＡＮ  １０４と、ＧＳＭまたはＷＣＤＭＡなど他の無線技術を採用する他のＲＡＮ（図示せず）との間を切り換えるための制御プレーン機能を提供することもできる。
【００３３】
サービングゲートウェイ１４４は、Ｓ１インターフェースを介してＲＡＮ  １０４におけるｅＮｏｄｅ  Ｂ  １４０ａ、１４０ｂ、１４０ｃの各々に接続されてよい。サービングゲートウェイ１４４は、ＷＴＲＵ  １０２ａ、１０２ｂ、１０２ｃとの間で、ユーザデータパケットを全体的にルーティングしたり転送したりすることができる。サービングゲートウェイ１４４は、ｅＮｏｄｅ  Ｂ間のハンドオーバ中のユーザプレーンの固定、ＷＴＲＵ  １０２ａ、１０２ｂ、１０２ｃに関するダウンリンクデータが有効なときのページングの起動、ＷＴＲＵ  １０２ａ、１０２ｂ、１０２ｃのコンテキストの管理および記憶など他の機能を遂行することもできる。
【００３４】
サービングゲートウェイ１４４は、ＰＤＮゲートウェイ１４６に接続されることもでき、ＰＤＮゲートウェイ１４６は、ＷＴＲＵ  １０２ａ、１０２ｂ、１０２ｃに、インターネット１１０などパケット交換のネットワークへのアクセスを提供することができ、ＷＴＲＵ  １０２ａ、１０２ｂ、１０２ｃとＩＰ対応デバイスの間の通信を容易にする。
【００３５】
コアネットワーク１０６は、他のネットワークとの通信を容易にすることができる。たとえば、コアネットワーク１０６は、ＷＴＲＵ  １０２ａ、１０２ｂ、１０２ｃに、ＰＳＴＮ  １０８など回路交換のネットワークへのアクセスを提供することができ、ＷＴＲＵ  １０２ａ、１０２ｂ、１０２ｃと従来の陸線通信デバイスの間の通信を容易にする。たとえば、コアネットワーク１０６は、コアネットワーク１０６とＰＳＴＮ  １０８の間のインターフェースとして働くＩＰゲートウェイ（たとえばＩＰマルチメディアサブシステム（ＩＭＳ）サーバ）を含んでよく、またはＩＰゲートウェイと通信してよい。加えて、コアネットワーク１０６は、ＷＴＲＵ  １０２ａ、１０２ｂ、１０２ｃに対して、他のサービスプロバイダによって所有され、かつ／または動作される、他の有線ネットワークまたはワイヤレスネットワークを含むことができるネットワーク１１２へのアクセスを提供することができる。
【００３６】
ＩＥＥＥ  ８０２．１１ベースのワイヤレスローカルエリアネットワーク（ＷＬＡＮ）１６０には、他のネットワーク１１２もさらに接続されてよい。ＷＬＡＮ  １６０はアクセスルータ１６５を含むことができる。アクセスルータはゲートウェイ機能を包含することができる。アクセスルータ１６５は複数のアクセスポイント（ＡＰ）１７０ａ、１７０ｂと通信することができる。アクセスルータ１６５とＡＰ  １７０ａ、１７０ｂの間の通信は、有線イーサネット（ＩＥＥＥ  ８０２．３規格）、または任意のタイプのワイヤレス通信プロトコルを介したものでよい。ＡＰ  １７０ａは、エアインターフェースを通じてＷＴＲＵ  １０２ｄとワイヤレス通信している。
【００３７】
セルラーシステムでは、ＷＴＲＵ（すなわちユーザ）は、それらの位置、割り当てられた周波数リソース、および／または移動性モードに従って、受信される信号の異なるチャネル遅延プロファイルを経験する可能性がある。サイクリックプレフィックス（ＣＰ）は、シンボルのプレフィックスに出現する情報がシンボルのサフィックスにおいて複製される遠隔通信で使用される例示の誤り保護技術である。それは、たとえば周波数領域処理（たとえばチャネル推定および等化）を簡単にするため、および／またはシンボル間干渉（ＩＳＩ）を低減するかもしくは解消するためのガードインターバルを提供するために使用されてよい。ＣＰのサイズは重要なパラメータであり、ＣＰがより大きければＩＳＩの低減においてより効果的であり得るが、オーバヘッドおよび遅延が増加する。本明細書で説明される例では、ユーザは、ＷＴＲＵと区別なく使用されることができる。
【００３８】
例では、ＬＴＥベースのセルラーシステムにおいて、ＣＰサイズは所与のセルの最悪のチャネル遅延拡散に基づいて調節されてよい。この場合、システムにおけるすべてのＷＴＲＵ（すなわちユーザ）との間で送受信される信号は、固定ＣＰサイズに基づいてよい。ＣＰサイズはセル特有のパラメータでよく、ＷＴＲＵは、ダウンリンク（ＤＬ）および／またはアップリンク（ＵＬ）の受信および／または送信のためにＣＰサイズを知らなければならないことがある。いくつかのＬＴＥベースのシステムでは、所与のユーザ（すなわちＷＴＲＵ）プロファイルに従ってＣＰサイズを調節するのが不可能なことがある。これは、送信電力ならびに時間／周波数リソースにおけるいくらかの浪費をもたらす可能性がある。
【００３９】
デジタルマルチキャリア変調のためのゼロテール（ＺＴ）の離散フーリエ変換拡散の直交周波数分割多重（ＤＦＴ−ｓ−ＯＦＤＭ）方式は、次世代ワイヤレスシステムのための波形候補の１つである。図２は、ＬＴＥシステムの送信器によって送信されることができる、ＺＴのＤＦＴ−ｓ−ＯＦＤＭ信号ｗを生成するための例示のシステム２００のブロック図を示す。例示のシステム２００は、それだけではないが、ゼロパディング（Ｚ）ブロック２０２、高速フーリエ変換（ＦＦＴ）ブロック２０４（ＦＦＴブロック２０４は離散フーリエ変換（ＤＦＴ）動作を遂行することができる）、リソースマッピング（Ｍ）ブロック２０６、および／または逆ＦＦＴ（ＩＦＦＴ）ブロック２０８といった要素のうちの任意のものを含むことができる。
【００４０】
長さＬを有する所与の送信データベクトルｄL×1のために、ＺＴのＤＦＴ−ｓ−ＯＦＤＭ信号ｗが以下のように生成されてよく、
【００４１】
【数１】
2019501560.tif 000003
【００４２】
ここで
【００４３】
【数２】
2019501560.tif 000004
【００４４】
は、入力データベクトルｄに対してゼロパディングブロック（Ｚ）２０２を適用することにより、データベクトルｄL×1のヘッドに長さＮhのゼロパディングを付加するとともに、データベクトルｄL×1のテールに長さＮhのゼロパディングを付加して生成された、ゼロパッドされた送信データベクトルであり、
【００４５】
【数３】
2019501560.tif 000005
【００４６】
は、ＦＦＴブロック２０４において信号ｓに適用される、サイズＮFFTを有する高速フーリエ変換（ＦＦＴ）マトリクスであり、Ｍは、サブバンドを割り当てるためにリソースマッピングブロック２０６において適用される、次元ＮIFFT×ＮFFTを有するリソースマッピングマトリクスであり、
【００４７】
【数４】
2019501560.tif 000006
【００４８】
は、ＩＦＦＴブロック２０８において適用される、サイズＮIFFTを有する逆ＦＦＴ（ＩＦＦＴ）マトリクスである。
【００４９】
マトリクス０Nは、長さＮを有するすべてゼロのベクトルを表す。インデックスＮhおよびＮtはデータベクトルｄのヘッドおよびテールにそれぞれパッドされたゼロの数を表し、ＮFFT＝Ｎh＋Ｎt＋Ｌである。リソースマッピングマトリクスＭは、単位マトリクス
【００５０】
【数５】
2019501560.tif 000007
【００５１】
が縦の列
【００５２】
【数６】
2019501560.tif 000008
【００５３】
に沿ってどこへでもマッピングされることができる構造を有する。
【００５４】
図３Ａと図３Ｂは、異なるヘッドのゼロパディングサイズおよびテールのゼロパディングサイズを有する、ＺＴのＤＦＴ−ｓ−ＯＦＤＭ信号の時間領域表現のグラフを示す。ＺＴのＤＦＴ−ｓ−ＯＦＤＭ信号の時間領域表現は、時間に対してデシベル（ｄＢ）で表された振幅を示す。ＮhはＺＴのＤＦＴ−ｓ−ＯＦＤＭ信号のヘッドにパディングされたゼロの数でよく、ＮhはＺＴのＤＦＴ−ｓ−ＯＦＤＭ信号のテールにパディングされたゼロの数でよい。Ｎhは、ゼロヘッドの（パディング）サイズまたは同様な意味合いでゼロヘッドの（パディング）長と称されることがある。同様に、Ｎtは、ゼロテールの（パディング）サイズまたは同様な意味合いでゼロテールの（パディング）長と称されることがある。
【００５５】
図３Ａでは、ヘッドのゼロパディングサイズはＮh＝８であり、テールのゼロパディングサイズはＮt＝１８である。図３Ｂでは、ヘッドのゼロパディングサイズはＮh＝１８であり、テールのゼロパディングサイズはＮt＝２８である。ＮhおよびＮtのサイズを変化させることにより、時間領域におけるヘッドおよびテールのゼロの長さが調節されることができる。ＯＦＤＭベースのシステムにおけるＣＰの適用に類似して、ゼロテール（ＺＴ）は、マルチパスチャネルにおける送信をサポートするために使用されてよい。時間領域信号ｗのヘッドのゼロの長さＮwhおよびテールのゼロの長さＮwtは、それぞれ
【００５６】
【数７】
2019501560.tif 000009
【００５７】
および
【００５８】
【数８】
2019501560.tif 000010
【００５９】
と決定されてよい。このプロセスの結果として、出力信号ｗは
【００６０】
【数９】
2019501560.tif 000011
【００６１】
と書かれてよく、パラメータ
【００６２】
【数１０】
2019501560.tif 000012
【００６３】
および
【００６４】
【数１１】
2019501560.tif 000013
【００６５】
は無視できると想定され、ベクトル
【００６６】
【数１２】
2019501560.tif 000014
【００６７】
は情報またはデータベクトルを表す。
【００６８】
図２、図３Ａおよび図３Ｂにおいて使用された表記法および定義は、以下で説明される例において同様に使用され、かつ定義される。
【００６９】
例示のＬＴＥベースのシステムでは、ＣＰサイズは所与のセルの最悪のチャネル遅延拡散に基づいて調節されてよい。したがって、システムにおけるすべてのＷＴＲＵとの間で送受信される信号は、固定ＣＰサイズに基づくものでよい。そのゆえに、そのようなＬＴＥベースのシステムでは、所与のユーザ（すなわちＷＴＲＵ）プロファイルに従ってＣＰサイズを調節するのが不可能なことがある。これは、送信電力ならびに時間／周波数リソース用法におけるいくらかの浪費をもたらす可能性がある。
【００７０】
本明細書で説明された例示の手法によれば、各ＷＴＲＵは、それらのチャネル遅延プロファイルおよびスケジューリングされたリソースに従って、多長ＺＴのＤＦＴ−ｓ−ＯＦＤＭ送信を使用して、サイズの異なるヘッドのゼロパディング／テールのゼロパディングを割り当てられてよい。この能力は、より短いゼロテールしか必要としないＷＴＲＵが、節約されたリソースを採用してより多くの情報を受け取ることを可能にすることができ、より高いシステムスループットをもたらす。
【００７１】
例示の手法では、単一のＷＴＲＵ（ユーザ）によって、サブバンドベースの多長ＺＴのＤＦＴ−ｓ−ＯＦＤＭ送信が使用されてよい。例では、ＺＴのＤＦＴ−ｓ−ＯＦＤＭ送信器出力信号が
【００７２】
【数１３】
2019501560.tif 000015
【００７３】
と表されると想定されてよく、
【００７４】
【数１４】
2019501560.tif 000016
【００７５】
である（図２の説明から、
【００７６】
【数１５】
2019501560.tif 000017
【００７７】
はサイズＮFFTを有するＦＦＴマトリクスであり、Ｍは次元ＮIFFT×ＮFFTを有するリソースマッピングマトリクスであって、
【００７８】
【数１６】
2019501560.tif 000018
【００７９】
はサイズＮIFFTを有するＩＦＦＴマトリクスであることを思い出されたい）。したがって、ベクトルｗの各要素は、
【００８０】
【数１７】
2019501560.tif 000019
【００８１】
として評価されてよい。
【００８２】
各ユーザ（ＷＴＲＵ）が、選択マトリクスＭによって指定された特定の量の周波数リソースを割り当てられてよいので、ｇの要素は
【００８３】
【数１８】
2019501560.tif 000020
【００８４】
として分類されてよく、ここで、連続した周波数リソース割り当てを想定して、ｋ0は第１の割り当てられた周波数リソースのインデックスである。したがって、ｗ（ｎ）は
【００８５】
【数１９】
2019501560.tif 000021
【００８６】
と書き直されてよい。
【００８７】
マルチパスチャネルを想定して、遅延プロファイルｈ（ｎ）は
【００８８】
【数２０】
2019501560.tif 000022
【００８９】
と定義されてよく、
【００９０】
【数２１】
2019501560.tif 000023
【００９１】
およびτiは、それぞれｉ番目の経路に関する振幅量および遅延量であり、δ（ｎ）はディラックのデルタ関数である。そこで、受信された信号ｒ（ｎ）は、
ｒ（ｎ）＝ｗ（ｎ）＊ｈ（ｎ）  式（７）
または
【００９２】
【数２２】
2019501560.tif 000024
【００９３】
と表現されてよく、いくつかの基本的な操作を用いて、
【００９４】
【数２３】
2019501560.tif 000025
【００９５】
【数２４】
2019501560.tif 000026
【００９６】
【数２５】
2019501560.tif 000027
【００９７】
とさらに簡素化されることができ、ここで
【００９８】
【数２６】
2019501560.tif 000028
【００９９】
である。上記の式（１）〜（１１）における導出に基づき、Ｎ：ｎ0≦ｎ≦（ｎ0＋ＮFFT−１）で定義されるリソースに割り当てられたＷＴＲＵ（ユーザ）について、以下で論じられる、興味を引くいくつかの事例が識別されることができる。
【０１００】
例示のシナリオでは、経路ｉ＝１、２、．．．、Ｐ−１のすべてについて位相偏角（phase argument）が
【０１０１】
【数２７】
2019501560.tif 000029
【０１０２】
を満たすか、またはＮ：ｎ0≦ｎ≦（ｎ0＋ＮFFT−１）によって定義された範囲にわたって
【０１０３】
【数２８】
2019501560.tif 000030
【０１０４】
の項（ｃｔ．は定数値の略記である）がほぼ一定であるなら、このＷＴＲＵ（ユーザ）に関して観測されるマルチパスフェージングは、フラットフェージングチャネルへ形を変え、このＷＴＲＵによって受信される信号ｒ（ｎ）は
【０１０５】
【数２９】
2019501560.tif 000031
【０１０６】
と定義されることができ、γは複素定数である。したがって、Ｎの中でスケジューリングされてＺＴのＤＦＴ−ｓ−ＯＦＤＭ送信される信号は、マルチパスに対する保護のためのガードタイムとしてのゼロヘッド／ゼロテールを必要としなくてよく、または少なくともその長さは非常に短くなることができる。
【０１０７】
別の例示のシナリオでは、上記で明示された式（１２）および（１３）のいずれかの条件が部分的にしか満たされない場合、すなわち信号経路の任意のサブセットｉ∈｛１，２，．．．，Ｐ−１｝について、
【０１０８】
【数３０】
2019501560.tif 000032
【０１０９】
【数３１】
2019501560.tif 000033
【０１１０】
であるなら、これに準拠する経路に関連した項は、対応するフラットフェージング効果を表すように除外されることができる。そのゆえに、残りの経路（すなわち準拠しない経路）がマルチパスフェージングの主因になることができ、ガードタイム決定のために考慮に入れられなければならない可能性がある。
【０１１１】
したがって、この事例では、Ｎによって定義された周波数リソースについては、ガードタイム長さに関する要件が緩和されることができる。言い換えれば、経路１≦ｉ≦Ｐ−１に関する振幅ｈiと遅延τiの対の全体のセットである
｛（ｈ1，τ1），（ｈ2，τ2），．．．，（ｈP-1，τP-1）｝  式（１７）
に基づいてガードタイム長さを決定する代わりに、ガードタイムは、振幅ｈiと遅延τiの対のサブセットである
｛（ｈi，τi）｝∃ｉ，ｉ∈｛１，２，．．．，Ｐ−１｝  式（１８）
のみに基づいて定義されることができ、したがってガードタイム長さに関する要件を緩和する。
【０１１２】
例では、ＷＴＲＵは、帯域にわたるそのペイロードのすべての復調および復号のために、同じパラメータ（Ｎh，Ｎt）を使用するように構成されてよい。別の例では、ＷＴＲＵは、ｉ番目のサブバンドで送信されたペイロードの復調および復号のために、異なるパラメータ
【０１１３】
【数３２】
2019501560.tif 000034
【０１１４】
を有するように構成されてよい。
【０１１５】
図４は、ＷＴＲＵに割り当てられた異なるサブバンドは異なるゼロヘッドのサイズおよび／またはゼロテールのサイズを有する、同じＷＴＲＵに対する例示のサブバンド割り当て４００の割り当て図を示す。例示のサブバンド割り当て４００では、サブバンド４０１は｛Ｎh1，Ｎt1｝のゼロヘッドおよびゼロテールのサイズ割り当てを有し、サブバンド４０２は｛Ｎh2，Ｎt2｝のゼロヘッドおよびゼロテールのサイズ割り当てを有し、（Ｎh1＋Ｎt1）＜（（Ｎh2＋Ｎt2）である。システムの帯域幅が増加するにつれて、異なるサブバンドに対して異なるガードタイム（すなわち異なるゼロヘッドのサイズ／ゼロテールのサイズ）を採用する機会が増加する可能性がある。
【０１１６】
図４は、同じＷＴＲＵに割り当てられた２つの異なるサブバンドが、ヘッドゼロの長さ／テールゼロの長さの異なるサイズを採用する使用法の場合を示す。ＯＦＤＭシステムまたはＺＴのＤＦＴ−ｓ−ＯＦＤＭシステムでは、サブバンド４０１と４０２２の両方が同じＷＴＲＵに属してマルチパスチャネルを経験するので、遅延プロファイルｈ（ｎ）は
【０１１７】
【数３３】
2019501560.tif 000035
【０１１８】
と定義されてよく、すべてのサブバンドに関するガードタイム要件は、｛（ｈ1，τ1），（ｈ2，τ2），．．．，（ｈP-1，τP-1）｝の全体のセットに基づいて定義されてよい。しかしながら、サブバンド１に関するＺＴのＤＦＴ−ｓ−ＯＦＤＭ信号が必要とするガードタイムが、サブバンド２に関して必要とされるものよりも短いことが可能であろう。この例については、（Ｎh1＋Ｎt1）＜（Ｎh2＋Ｎt2）であるので、ヘッドのゼロ／テールのゼロに関する全体的なオーバヘッドが低減されることができ、したがってデータペイロードを増加して全体的なスループットを向上することが可能になる。
【０１１９】
図５Ａおよび図５Ｂは、それぞれ、ＤＬ送信におけるＮ個のサブバンドに関する例示のサブバンド構成５００Ａおよび５００Ｂの構成図を示す。例示のサブバンド構成５００Ａおよび５００Ｂは、ＵＬでは同様に使用されてよい。例示のサブバンド構成５００Ａおよび５００Ｂにおける各サブバンド５０１1から５０１Nは、それぞれ対応するデータ領域５０２1から５０２Nと、対応するゼロテール領域５０４1から５０４Nとを含むことができる（図示されていない他の領域も含まれることができる）。サブバンド５０１1から５０１Nのゼロテール領域５０４1から５０４Nは、ダウンリンクにおけるＩＳＩを抑制するために、サブバンド５０１1から５０１Nにわたって特定のパターンを用いて構成されてよい。たとえば、サブバンド５０１1から５０１Nのうちのいくつかまたはすべてのゼロテール領域５０４1から５０４Nのサイズは、徐々に変化されてよく、または互いに異なってよい。この手法を用いて、類似したチャネル遅延プロファイルを有するＷＴＲＵは、ＷＴＲＵの間のサブバンド間の干渉が軽減されることができるため、隣接したサブバンド（たとえば隣接したサブバンド５０１1と５０１2）に割り当てられてよい。
【０１２０】
図５Ａにおける例示のサブバンド構成５００Ａは高い干渉シナリオを示し、サブバンド５０１2におけるゼロテール５０４2のサイズと、サブバンド５０１k+1におけるゼロテール５０４k+1のサイズは等しい。サブバンド５０１2におけるゼロテール５０４2のサイズがサブバンド５０１k+1におけるゼロテール５０４k+1のサイズと等しいため、サブバンド５０１2におけるデータ領域５０２2の最後部におけるデータとサブバンド５０１K+1におけるデータ領域５０２k+1の最後部におけるデータは、互いに対してサブバンド間干渉を経験する可能性がある。その上、サブバンド５０１2、５０１K+1、および５０１Nのそれぞれのゼロテール５０４2、５０４K+1、および５０４Nのサイズが十分に長くなければ、各サブバンド５０１2、５０１K+1、および５０１Nに対してかなりのＩＳＩがある可能性がある。
【０１２１】
図５Ｂにおける例示のサブバンド構成５００Ｂは低い干渉シナリオを示し、サブバンド５０１1から５０１Nにおけるゼロテール５０４1から５０４Nのサイズが、１つの隣接したサブバンドから次のものへと徐々に変化しており、このことがサブバンド間干渉を軽減するのを支援する。ゼロテール５０４1から５０４Nの長さは、サブバンド５０１1から５０１Nごとに必要とされるものに従って徐々に増加または減少してよい。
【０１２２】
別の例では、送信器システムは、図２におけるＺＴのＤＦＴ−ｓ−ＯＦＤＭ信号を生成するための例示のシステム２００と同様ではあっても、マルチユーザのＺＴのＤＦＴ−ｓ−ＯＦＤＭ送信信号を生成するように設計されてよい。図６は、多長ＺＴのＤＦＴ−ｓ−ＯＦＤＭマルチユーザ信号ｗを生成するための例示のシステム６００のブロック図を示す。多長ＺＴのＤＦＴ−ｓ−ＯＦＤＭマルチユーザ信号ｗは、たとえばＬＴＥシステムの送信器によって送信されてよい。例示のシステム６００は、Ｋ人のユーザ（ＷＴＲＵ）に対して、それだけではないが、ゼロパディング（Ｚ1．．．ＺK）ブロック６０２1．．．６０２K、ＦＦＴブロック６０４1．．．６０４K、リソースマッピング（Ｍ1．．．ＭK）ブロック６０６1．．．６０６K、および／またはＩＦＦＴブロック６０８といった要素のうちの任意のものを含むことができる。
【０１２３】
例示のシステム６００を使用して、Ｋ人のユーザ（ＷＴＲＵ）の各々が、それぞれのチャネル遅延プロファイルに従って、異なるサイズのヘッドのゼロおよび／またはテールのゼロを割り当てられてよい。この能力は、より短いゼロテールしか必要としないＷＴＲＵが、節約されたリソースを使用してより多くの情報を受け取ることを可能にし、より高いシステムスループットをもたらす。その上、Ｋ個のＷＴＲＵのすべてのために送信されるシンボルの長さが、ＮIFFTサンプルにおいて維持されることができる。
【０１２４】
図６では、送信されるマルチユーザ信号ｗは、
【０１２５】
【数３４】
2019501560.tif 000036
【０１２６】
と表現されてよく、ｓkはｋ番目のＷＴＲＵのゼロパッドされた送信データベクトルであり、
【０１２７】
【数３５】
2019501560.tif 000037
【０１２８】
は、サイズが
【０１２９】
【数３６】
2019501560.tif 000038
【０１３０】
であるｋ番目のＷＴＲＵのＦＦＴマトリクスであって、Ｍkは、サイズが
【０１３１】
【数３７】
2019501560.tif 000039
【０１３２】
であるｋ番目のＷＴＲＵのリソースマッピングマトリクスである。指示されたように、各ＷＴＲＵがヘッドのゼロおよびテールのゼロ向けに異なる長さを採用してよく、したがって
【０１３３】
【数３８】
2019501560.tif 000040
【０１３４】
であり、
【０１３５】
【数３９】
2019501560.tif 000041
【０１３６】
はｋ番目のＷＴＲＵに関する送信データベクトルである。諸Ｍkのリソースマッピングマトリクス（The resource mapping matrices, Mk's）は、直交のリソース割り当てを表すことができる。それゆえに、ｋ≠ｊであるとき、
【０１３７】
【数４０】
2019501560.tif 000042
【０１３８】
である。
【０１３９】
システム６００の結果として、受信器において、各ＷＴＲＵがそれ自体の信号
【０１４０】
【数４１】
2019501560.tif 000043
【０１４１】
を干渉なしで抽出することができ、データ検知のための残りのステップを進めることができる。受信器処理は、ヘッドのゼロの数Ｎhの値およびテールのゼロの数Ｎtの値の事前知識を想定して、ｋ番目のＷＴＲＵが信号
【０１４２】
【数４２】
2019501560.tif 000044
【０１４３】
すなわち
【０１４４】
【数４３】
2019501560.tif 000045
【０１４５】
を受信する場合には、これから、送信されたデータベクトル
【０１４６】
【数４４】
2019501560.tif 000046
【０１４７】
の推定が抽出されることができると概説されてよい。
【０１４８】
図７Ａは、異なるヘッドのゼロパディングサイズパラメータおよびテールのゼロパディングサイズパラメータを有する、シミュレートされた２ユーザシステムに関するＺＴのＤＦＴ−ｓ−ＯＦＤＭ信号７０３の時間領域表現のグラフを示す。図７Ａは、ヘッドのサイズ（長さ）パラメータおよびテールのサイズ（長さ）パラメータの異なるセットを有する２つのＷＴＲＵに関するマルチユーザのＺＴのＤＦＴ−ｓ−ＯＦＤＭシステムにおける効果的な送信される波形７０３を示す。上部の波形は、第１のＷＴＲＵ向けの、Ｎh＝１２およびＮt＝３８を有する波形７０１を示し、中間の波形は、第２のＷＴＲＵ向けの、Ｎh＝１８およびＮt＝１８を有する波形７０２を示し、第３の波形は、これら２つのＷＴＲＵ向けの、波形７０１と７０２の組合せとして送信される信号７０３を示す。効果的な送信される信号７０３のヘッドのゼロの長さ（サイズ）およびテールのゼロの長さは、図７Ａに示されるように、２つのＷＴＲＵ向けの波形７０１および７０２のＮhおよびＮtの最も小さい値によって決定されてよい。
【０１４９】
図７Ｂは、図７Ａの波形７０１に対する第１のＷＴＲＵのビット誤り率（ＢＥＲ）性能対Ｓ／Ｎ比（ＳＮＲ）をデシベルで表したグラフを示す。波形７０１と７０２に対する２つのＷＴＲＵの不適合なヘッドのサイズパラメータ／テールのサイズパラメータにもかかわらず、各ＷＴＲＵ向けの信号が、ＩＳＩなしで検知されることができる。
【０１５０】
例では、ＷＴＲＵは、周波数（サブ）帯域にわたるその全体のペイロードの復調および復号のための汎用のゼロヘッドのサイズパラメータおよびゼロテールのサイズパラメータ（Ｎh，Ｎt）を使用するために、無線リソース制御（ＲＲＣ）シグナリングによって準静的に構成されてよい。別の例では、ＷＴＲＵは、そのペイロードの復調および復号のためのゼロヘッドのサイズパラメータおよびゼロテールのサイズパラメータ（Ｎh，Ｎt）を決定するために、Ｌ１制御シグナリングによって動的に構成されてよい。
【０１５１】
別の例では共通チャネル方式が実施されてよく、共通チャネルは、ＺＴのＤＦＴ−ｓ−ＯＦＤＭ送信のサブフレームに挿入されてよい。図８は、共通チャネル送信を生成するための、例示の多長ＺＴのＤＦＴ−ｓ−ＯＦＤＭシステム８００のブロック図である。例示のシステム８００は、共通チャネルからの共通チャネル情報８０１を、ＺＴのＤＦＴ−ｓ−ＯＦＤＭ送信信号ｗのサブフレームに挿入する。共通チャネルは、１つのチャネルまたはいくつかのチャネルの組合せを含むことができる。
【０１５２】
例示のシステム８００は、それだけではないが、マルチプレクサ８０２、ゼロヘッドのパラメータおよびゼロテールのパラメータ
【０１５３】
【数４５】
2019501560.tif 000047
【０１５４】
を使用する共通チャネルゼロパディング（Ｚcomm）ブロック８０４comm、共通チャネルＦＦＴ（ＦＦＴcomm）ブロック８０６comm、共通チャネルリソースマッピング（Ｍcomm）ブロック８０８comm、それぞれ１≦ｉ≦Ｋ（Ｋはユーザの数）であるゼロヘッドのパラメータおよびゼロテールのパラメータ
【０１５５】
【数４６】
2019501560.tif 000048
【０１５６】
を使用するゼロパディング（Ｚ1．．．ＺK）ブロック８０４1．．．８０４K、ＦＦＴ（ＦＦＴ1．．．ＦＦＴK）ブロック８０６1．．．８０６K、リソースマッピング（Ｍ1．．．ＭK）ブロック８０８1．．．８０８K、および／またはＩＦＦＴブロック８１０といった要素のうちの任意のものを含むことができる。
【０１５７】
例示のシステム８００は図６の例示のシステム６００と同様に機能するが、送信のための１つまたは複数の共通チャネルの組合せから共通チャネル情報８０１を集めることができるマルチプレクサ８０２をさらに含む。共通チャネルの組合せは、すべての共通チャネルまたは共通チャネルのサブセットを含むことができる。共通チャネル情報８０１の例は、それだけではないが、ブロードキャスト基準信号などのブロードキャスト情報、同期情報、ならびに／またはチャネル測定および／もしくはチャネル位置決めのための共通パイロットといった、情報またはコンテンツのうちの任意のものを含むことができる。
【０１５８】
共通チャネル情報８０１の送信は、送信される信号ｗの共通チャネル情報８０１が、割り当てられたチャネル帯域幅にわたって、すべてのＷＴＲＵにとってアクセス可能であるように構成されなければならないことがある。そのゆえに、共通チャネル情報８０１は、セルのすべてのＷＴＲＵ（ユーザ）のチャネル遅延プロファイルを満たすように十分に長いサイズである特定のゼロヘッドのサイズおよびゼロテールのサイズ
【０１５９】
【数４７】
2019501560.tif 000049
【０１６０】
を使用するゼロパディングブロック８０４commにマッピングされてよい。
【０１６１】
共通チャネル情報８０１（たとえば同期基準チャネルまたは共通の基準チャネル）は、同期捕捉および／またはチャネル推定を支援するために、優れた相関特性を伴うシーケンス（たとえばマルチプレクサ８０２に対して入力されることができるシーケンスであって図示されていない）をマッピングすることによってサポートされてよい。優れた相関特性を伴うシーケンスの例は、それだけではないが、ゴールドシーケンス（Gold sequences）、および／または一定振幅ゼロ自己相関（ＣＡＺＡＣ）シーケンス（たとえばＺａｄｏｆｆ−Ｃｈｕ（ＺＣ）シーケンス）といったシーケンスを含む。実施形態では、機能の別々のステップおよび／または異なるサービスをサポートするために、システム８００によって、共通チャネル情報８０１における複数の同期基準シーケンスおよび／または共通の基準シーケンスが、異なるサブバンドにマッピングされてよい。
【０１６２】
ＺＴのＤＦＴ−ｓ−ＯＦＤＭマルチユーザ信号ｗを受信する受信ＷＴＲＵは、準静的シグナリングにより、またはブラインド検知により、パラメータの固定定義を採用することによって、パラメータ
【０１６３】
【数４８】
2019501560.tif 000050
【０１６４】
を決定するように構成されてよい。受信ＷＴＲＵは、受信された信号における共通チャネル情報８０１の復調および復号のためのパラメータ
【０１６５】
【数４９】
2019501560.tif 000051
【０１６６】
と、ｉ番目のサブバンドにおけるデータペイロード８０３の復調および復号のためのパラメータ
【０１６７】
【数５０】
2019501560.tif 000052
【０１６８】
とを考慮に入れるように構成されてよい。共通チャネル情報８０１およびマッピング位置（リソースマッピングブロック８０８ｉにおけるマトリクスＭi（ｉ＝１．．．Ｋ；ｃｏｍｍ）によって定義される）に関するＦＦＴブロックにおけるＤＦＴ拡散（DFT spread）のサイズは固定されてよく、またはＲＲＣシグナリングによって受信ＷＴＲＵへ準静的に信号伝達されてよい。図８には示されていない構成において、共通チャネル情報８０１に含まれるそれぞれの共通チャネルは、異なるセットのパラメータ
【０１６９】
【数５１】
2019501560.tif 000053
【０１７０】
を有することができる。
【０１７１】
例示の技術は、多長ＺＴのＤＦＴ−ｓ−ＯＦＤＭ信号に対して周波数リソース／時間リソースを割り当てるために使用されることができる。図９は、多長ＺＴのＤＦＴ−ｓ−ＯＦＤＭ信号に対する例示の周波数リソース割り当て９００の割り当て図を示す。周波数リソース割り当て９００は遅延プロファイルに基づくものでよい。例では、固定された周波数リソース割り当て（割り当てられたスペクトル）９１０が使用されることができる。ＷＴＲＵは、それらの遅延プロファイルに基づいて、固定された周波数リソース割り当て９１０を用いてグループ化されてよく、それぞれのＷＴＲＵグループは、割り当てられたスペクトル９１０の異なる部分を割り当てられてよい。言い換えれば、割り当てられた帯域９１０が、ＷＴＲＵグループの間で分割されてよい。例示の周波数リソース割り当て９００では、割り当てられたスペクトル９１０がＭ個の区分９０２1．．．９０２Mに分割され、それぞれの区分９０２1．．．９０２Mは、ゼロヘッドのサイズパラメータおよびゼロテールのサイズパラメータ
【０１７２】
【数５２】
2019501560.tif 000054
【０１７３】
の対応するセットを割り当てられてよく、ヘッドのサイズパラメータおよびテールのサイズパラメータ
【０１７４】
【数５３】
2019501560.tif 000055
【０１７５】
は異なってよい。周波数リソース割り当て９００は動的または非動的なものでよく、たとえば準静的に、かつ／または再構成によって変化されてよい。
【０１７６】
図１０は、多長ＺＴのＤＦＴ−ｓ−ＯＦＤＭ信号に対する例示の時変周波数リソース割り当て１０００の割り当て図を示す。例示の周波数リソース割り当て１０００は、割り当てられた周波数リソース１０１０の所与のセットが、ｋ＝１．．．Ｋにわたる別々の対応するゼロヘッドの値およびゼロテールの値
【０１７７】
【数５４】
2019501560.tif 000056
【０１７８】
を有する異なるＷＴＲＵグループ１．．．Ｋに対して（動的に）割り当てられることができるように、（たとえばタイムスロット１００４nからタイムスロット１００４n+1まで）経時変化されてよい。例示の周波数リソース割り当て１０００において、ヘッドのパラメータ／テールのパラメータは、タイムスロット１００４n（パラメータ
【０１７９】
【数５５】
2019501560.tif 000057
【０１８０】
）からタイムスロット１００４n+1（パラメータ
【０１８１】
【数５６】
2019501560.tif 000058
【０１８２】
）まで変化される。そのような遷移では、
【０１８３】
【数５７】
2019501560.tif 000059
【０１８４】
であれば、スピルオーバおよびＩＳＩの生成を回避するためにグループ２のＷＴＲＵ向けの波形のためのチャネルが必要とするテールのサイズは
【０１８５】
【数５８】
2019501560.tif 000060
【０１８６】
だけでよいので、グループ２のＷＴＲＵ向けの波形に対して、グループ１のＷＴＲＵ向けの波形によって顕著なＩＳＩが引き起こされないことが可能である。しかしながら、
【０１８７】
【数５９】
2019501560.tif 000061
【０１８８】
であると、グループ１のＷＴＲＵ向けに意図された波形からグループ２のＷＴＲＵ向けに意図された波形へのスピルオーバを防止するために、ＷＴＲＵグループ２向けのヘッドのサイズパラメータは、
【０１８９】
【数６０】
2019501560.tif 000062
【０１９０】
となるように選択されてよい。
【０１９１】
例示の技術は、多長ＺＴのＤＦＴ−ｓ−ＯＦＤＭ信号に対して帯域間周波数リソースおよび／または帯域内周波数リソースを割り当てるために使用されることができる。周波数リソース割り当ては、コンポーネントキャリア（ＣＣ）の数および／またはシステムで使用される周波数帯の数に依拠してよい。キャリアアグリゲーション（ＣＡ）は、たとえば３ＧＰＰ  ＬＴＥリリース１０において説明されているように、複数のＣＣのアグリゲーションが、システムの帯域幅を増加することを可能にすることができる。帯域内周波数リソースの使用は、同じ周波数帯の範囲内の連続したＣＣまたは不連続のＣＣのアグリゲーションを可能にすることができるが、帯域間ＣＡは不連続のＣＣをアグリゲートするために使用されることができる。
【０１９２】
図１１Ａおよび図１１Ｂは、それぞれ、多長ＺＴのＤＦＴ−ｓ−ＯＦＤＭ信号のためのキャリアアグリゲーション下の例示の周波数リソース割り当て１１００Ａおよび１１００Ｂの割り当て図を示す。例示の周波数リソース割り当て１１００Ａおよび１１００Ｂが含むシナリオでは、割り当てられたスペクトル（たとえば、例示の周波数リソース割り当て１１００Ａにおける割り当てられたスペクトル１１１０、ならびに例示の周波数リソース割り当て１１００Ｂにおける割り当てられたスペクトル１１２０および１１３０）は２つのＣＣ（たとえば、例示の周波数リソース割り当て１１００ＡにおけるＣＣ  １１０２1および１１０２2、ならびに例示の周波数リソース割り当て１１００ＢにおけるＣＣ  １１２２1および１１２２2）から成る。例示の周波数リソース割り当て１１００Ａは、連続したＣＣ  １１０２1および１１０２2（たとえば帯域内ＣＡ）を使用する。例示の周波数リソース割り当て１１００Ｂは、割り当てられたスペクトル１１２０と１１３０（たとえば帯域内ＣＡまたは帯域間ＣＡ）の不連続な部分に対して不連続なＣＣ  １１２２1および１１２２2のアグリゲーションを使用する。
【０１９３】
図１１Ａでは、サブバンド周波数リソース割り当て１１００Ａは、ＣＣ  １１０２1と１１０２2の両方にわたって再利用されることができる。たとえば、ＣＣ  １１０２1のサブバンド１１０４1で使用されるゼロヘッドのサイズとゼロテールのサイズの対（Ｎh1，Ｎt1）は、ＣＣ  １１０２2のサブバンド１１０６1において再利用されることができる。同様に、ＣＣ  １１０２1のサブバンド１１０４2で使用されるゼロヘッドのサイズとゼロテールのサイズの対（Ｎh2，Ｎt2）はＣＣ  １１０２2のサブバンド１１０６2で再利用されることができ、ＣＣ  １１０２1のサブバンド１１０４Mで使用される（ＮhM，ＮtM）はＣＣ  １１０２2のサブバンド１１０６Mで再利用されることができる。
【０１９４】
図１１Ｂでは、周波数リソース割り当て１１００Ｂは、異なる周波数リソース割り当てが２つのＣＣ  １１２２1および１１２２2にわたって利用されるようなものとすることができる。たとえば、ゼロヘッドのサイズとゼロテールのサイズの対（ＮCC1,h1，ＮCC1,t1）、（ＮCC1,h2，ＮCC1,t2）、および（ＮCC1,hM，ＮCC1,tM）は、それぞれＣＣ  １１２２1のサブバンド１１２４1、１１２４2、および１１２４Mで使用されることができ、異なるゼロヘッドのサイズとゼロテールのサイズの対（ＮCC2,h1，ＮCC2,t1）、（ＮCC2,h2，ＮCC2,t2）、および（ＮCC2,hM，ＮCC2,tM）は、それぞれＣＣ  １１２２2のサブバンド１１２６1、１１２６2、および１１２６Mで使用されることができる。異なるＣＣ（図１１Ｂの例など）にわたる異なるリソース要件の使用は、連続したＣＣおよび／または不連続のＣＣを用いるシナリオに使用されることができる。しかしながら、同じ周波数帯のＣＣは類似した遅延拡散特性を示す可能性があるため、帯域間ＣＡの場合には、異なるＣＣにわたる異なる周波数リソース割り当ての使用がより適切であろう。加えて、各ＣＣ（および／またはサブバンド）に特有のゼロヘッドのパラメータおよびゼロテールのパラメータ（Ｎh，Ｎt）を利用することで付加される複雑さは、観測される性能向上の点では正当と認められないことがある。
【０１９５】
例では、ＷＴＲＵは、同じ周波数帯におけるｌ番目のＣＣのｉ番目のサブバンドで送信されたその（データ）ペイロードの復調および復号のために、異なるパラメータ（Ｎl,h_i，Ｎl,t_i）を使用するように構成されてよい。別の例では、ＷＴＲＵは、ｑ番目の周波数帯におけるすべてのＣＣのｉ番目のサブバンドで送信されたその（データ）ペイロードの復調および復号のために、異なるパラメータ（Ｎq,h_i，Ｎq,t_i）を使用するように構成されてよい。別の例では、ＷＴＲＵは、ｑ番目の周波数帯におけるｌ番目のＣＣのｉ番目のサブバンドで送信されたその（データ）ペイロードの復調および復号のために、異なるパラメータ（Ｎq,l,h_i，Ｎq,l,t_i）を使用するように構成されてよい。
【０１９６】
例示の技術は、複数の送信ポイントまたは変化する送信ポイント（ＴＰ）の下でＺＴのＤＦＴ−ｓ−ＯＦＤＭ信号に対して周波数間リソースを割り当てるために使用されることができる。例では、ＷＴＲＵの周波数リソース割り当ては、ＴＰが変化する可能性がある方式の下で不変であることができる。たとえば３ＧＰＰ  ＬＴＥリリース１１で定義されているような協調マルチポイント（ＣｏＭＰ）は、複数の送信ポイントからの送信信号を、干渉を最小化するように調和させることによって、セルエッジ性能を改善することに向けられた例示の技術である。ＤＬ  ＣｏＭＰでは、幾つかのＴＰが、それらの送信を調和させることができる。（受信）ＷＴＲＵのために調和させるＴＰの特性のいくつかは、それだけではないが、調和させるＴＰは、同じ場所に配置されてよく、または配置されなくてよい、調和させるＴＰは、同じｅＮＢまたは異なるｅＮＢに属してよい、ならびに／または、調和させるＴＰは同種ネットワークおよび／もしくは異機種ネットワークを包含してよい、といった特性のうちの任意のものを含むことができる。ＤＬ  ＣｏＭＰ方式の例は、それだけではないが、統合送信（ＪＴ）ＣｏＭＰおよび動的ポイント選択（ＤＰＳ）を含む。
【０１９７】
例示のＤＬ  ＣｏＭＰ方式（たとえばＪＰ  ＣｏＭＰおよび／またはＤＰＳ）では、受信ＷＴＲＵに向けられたＤＬデータは、すべての調和させるＴＰにおいて使用可能でよい。たとえば、ＪＴ  ＣｏＭＰの下では、２つ以上のＴＰが同じ時間リソースおよび周波数リソースにおいて送信することができるが、ＤＰＳの下では、特定のサブフレームにおいてＴＰのうちの１つだけが送信することができる。ＪＴ  ＣｏＭＰ方式またはＤＰＳ方式は、セルハンドオーバを必要としなくてよく、このことは、受信ＷＴＲＵが、それに現在サービングしているセルに関連し続けることを可能にすることができる。この場合、ＷＴＲＵは、ＣｏＭＰ技術からの利益を得ながら、ゼロヘッドのサイズパラメータおよびゼロテールのサイズパラメータ（Ｎh，Ｎt）のその元来の構成されたセットを使用し続けることができる。
【０１９８】
例示の技術は、ＺＴのＤＦＴ−ｓ−ＯＦＤＭ波形の干渉管理および測定のために使用されることができる。ＦＦＴ（ＤＦＴ）ブロックの様々な入力にゼロを送り込むことにより、ＩＦＦＴブロックの出力において、信号の任意の部分におけるゼロサンプルが生成されることができる。たとえば、ＤＦＴブロックの中間にゼロが送り込まれると、時間領域信号の中間にゼロが生成されることができる。時間領域信号におけるゼロの挿入は、様々な目的のために使用されることができる。
【０１９９】
たとえば、時間領域信号にゼロを挿入する用途の１つは、ＤＦＴ−ｓ−ＯＦＤＭシンボルの内部の干渉管理でよい。例では、２つの干渉する送信器は、オーバラップしないサンプルまたは部分的にオーバラップするサンプルにゼロを伴うＤＦＴ−ｓ−ＯＦＤＭ信号を生成してよい。図１２は、ＷＴＲＵ  １およびＷＴＲＵ  ２の２つのＷＴＲＵ（ユーザ）向けのＺＴのＤＦＴ−ｓ−ＯＦＤＭ信号（波形）１２０１および１２０２の時間領域表現のグラフを示す。図１２の例では、ＷＴＲＵ  １は、ゼロをＤＦＴブロックの中間に挿入しており、ＷＴＲＵ  ２は、それのデータをＤＦＴブロックの対応する中間の部分にマッピングしていて、いかなる深刻な相互干渉もなく共存する２つの信号送信１２０１および１２０２（組み合わされた波形１２０１＋１２０２の下部のグラフに示されるように）をもたらす。
【０２００】
時間領域信号にゼロを挿入する別の用途では、極めて信頼できる低遅延のデータが、別の送信信号のゼロにされた部分において送信されることができる。図１３は、ＺＴのＤＦＴ−ｓ−ＯＦＤＭ信号１３０２に対する例示のリソース割り当て１３００の例示の割り当て図を示す。元のＺＴのＤＦＴ−Ｓ−ＯＦＤＭ信号１３０２は、示されるように、時間−周波数リソースを割り当てられてよい。送信ＷＴＲＵは、ＺＴのＤＦＴ−ｓ−ＯＦＤＭ波形（信号）１３０２を使用することにより、モバイルブロードバンドデータまたは他の遅延耐性のあるデータを送信することもできる。低遅延データが到達し最小遅延で送信されなければならない場合、送信ＷＴＲＵは、元のＺＴのＤＦＴ−ｓ−ＯＦＤＭ信号１３０２にゼロを挿入し、次いで、元の信号１３０２のゼロ部分に、低遅延データを搬送する別の信号１３０４をマッピングしてよい。
【０２０１】
例では、図１３におけるＺＴのＤＦＴ−ｓ−ＯＦＤＭ波形１３０２などＺＴのＤＦＴ−ｓ−ＯＦＤＭ波形は、干渉測定および他のチャネル測定を可能にするために、シンボル時間中の異なるインスタンスにおいてゼロにされてよい。たとえば、ＷＴＲＵ（またはＷＴＲＵのグループ）は、ＷＴＲＵの別のセットによるチャネルの同時測定を可能にするために、シンボル時間の特定の部分におけるその送信をゼロにするように構成されてよい。
【０２０２】
技術は、ＺＴのＤＦＴ−ｓ−ＯＦＤＭ送信を使用するマルチユーザシステムにおいてヘッドのゼロ長さおよびテールのゼロ長さを決定するために使用されることができる。ＤＬマルチユーザのＺＴのＤＦＴ−ｓ−ＯＦＤＭシステムでは、各ＷＴＲＵは、ゼロヘッドのサイズパラメータＮhとゼロテールのサイズパラメータＮtの異なるセットを割り当てられてよい。パラメータＮhおよびＮtを決定するために、ＷＴＲＵによって例示の手法が使用されることができる。
【０２０３】
例では、ＮhおよびＮtのパラメータは、受信ＷＴＲＵによる直接シグナリングによって決定されてよい。たとえば、ＷＴＲＵグループに対するシグナリングが使用されてよい。この例では、所与のセルにおいて、各ＷＴＲＵに対する個別のシグナリングではなく、またはそれに加えて、ＷＴＲＵは、それらのチャネル遅延プロファイル、サービス、および／または用途などいくつかの基準に従ってグループ化されてよい。各ＷＴＲＵグループは、明示的なシグナリングによって、特定のパラメータＮhおよびＮtを使用するように勧められてよい。別の例では、各ＷＴＲＵは、最初にＬ１制御シグナリングによってそのグループ関係を決定してよい。ＷＴＲＵは、次いで、そのグループ関係に基づき、明示的なシグナリングによって、グループに関連付けられるパラメータ（Ｎh，Ｎt）を決定してよい。
【０２０４】
パラメータＮhおよびＮtを決定するためにＷＴＲＵによって使用される別の例示の手法では、暗黙のシグナリングが使用されることができる。例では、固定リソース割り当てを有するシステムでは、パラメータＮhおよびＮtなどの情報はスケジューリング割り当てによって暗示されてよい。ＷＴＲＵは、最初にＬ１制御シグナリングによってそのリソース割り当てを決定してよい。次いで、ＷＴＲＵは、そのリソース割り当てに基づいて、各リソース割り当てに関連付けられたパラメータ（Ｎh，Ｎt）を決定してよい。
【０２０５】
別の例では、マルチユーザシステムにおいて使用されるゼロヘッドの長さ（サイズ）／ゼロテールの長さは、受信ＷＴＲＵにおいて、優れた相関特性を有するシーケンスを使用して決定されてよい。図１４は、パラメータＮhおよびＮtを検知するために受信ＷＴＲＵによって使用されることができる例示のプリアンブル割り当て１４００の割り当て図を示す。例示のプリアンブル割り当て１４００は、ＺＴ−ｓ  ＯＦＤＭ信号の異なる部分が、どのように周波数対時間（タイムスロット）において配置されることができるかを示す。
【０２０６】
例示のプリアンブル割り当て１４００では、ヘッドのゼロは周波数帯１４０２h、および１４０６1．．．１４０６Kの部分に配置されてよく、テールのゼロは周波数帯１４０２t、１４０８1．．．１４０８Kの部分に配置されてよい。ペイロード情報は周波数帯１４０２、１４０４1．．．１４０４Kの部分に配置されてよく、この例では、プリアンブルは第１のタイムスロットまたはシンボル１４０２に配置されてよい。
【０２０７】
受信ＷＴＲＵがＤＬ（またはＵＬ）送信のために使用されるヘッドのパラメータＮh／テールのパラメータＮtを検知するのを支援するために、Ｚａｄｏｆｆ−Ｃｈｕ（ＣＡＺＡＣ）シーケンスまたはｍ−シーケンスなどの優れた相関特性を有する既知のシーケンスが、真に第１の送信される信号にマッピングされてよい。これは、ゼロパディングサイズを決定してサブフレームにおける後続のシンボルの復調のための情報を提供するのを支援することができる。
【０２０８】
受信ＷＴＲＵにおいて、受信した、次式で表される推定されたシーケンス
【０２０９】
【数６１】
2019501560.tif 000063
【０２１０】
すなわち
【０２１１】
【数６２】
2019501560.tif 000064
【０２１２】
の初期処理の後に、ＷＴＲＵは推定されたシーケンス
【０２１３】
【数６３】
2019501560.tif 000065
【０２１４】
を既知のシーケンスのセットに関連付けて、割り当てられたパラメータサイズＮhおよびＮtを決定してよい。ＷＴＲＵは、所定のシーケンスを考察することによってパディングパラメータのブラインド検知を遂行してよい。言い換えれば、テールのサイズおよび／またはヘッダのサイズが変化するとき、テールのサイズおよび／またはヘッダのサイズを指示するために、異なるシーケンス（または同じシーケンスの変形形態）が使用されてよい。
【０２１５】
図１５は、パラメータＮhおよびＮtを検知するために受信ＷＴＲＵによって使用されることができる例示のプリアンブル割り当て１５００の割り当て図を示す。例示のプリアンブル割り当て１５００は、ゼロヘッドのパラメータおよびゼロテールのパラメータ
【０２１６】
【数６４】
2019501560.tif 000066
【０２１７】
および
【０２１８】
【数６５】
2019501560.tif 000067
【０２１９】
の組合せセットを含む。相関プロセスを簡単にするために、ＷＴＲＵは、ＮhとＮtのほんの少数の組合せ（たとえば２つまたは３つの組合せ）を考慮に入れて処理負荷を低減してよい。例示のプリアンブル割り当て１５００では、ヘッドのゼロは周波数帯１５０６1．．．１５０６3の部分に配置されてよく、テールのゼロは周波数帯１５０８1．．．１４０８3の部分に配置されてよい。ペイロード情報（たとえばプリアンブル情報）は、周波数帯１５０２1．．．１５０２3の部分に配置されてよい。
【０２２０】
この例では、受信ＷＴＲＵにおいて、パラメータＮhとＮtの両方がワンステップ相関で決定されてよい。相関プロセスをさらに容易にするために、すべてのＷＴＲＵは、同じゼロヘッドのサイズＮhを有するが、異なるゼロテールのサイズＮtを有すると想定されてよい。例では、ＮhとＮtのパラメータの可能にされたセットが固定されてよい。別の例では、受信ＷＴＲＵは、パラメータＮhおよびＮtの全体のセットまたはサブセットを準静的シグナリングから決定してよい。
【０２２１】
ＺＴのＤＦＴ−ｓ−ＯＦＤＭ送信を使用するマルチユーザシステムにおいてヘッドのゼロ長さおよびテールのゼロ長さを決定する別の技術では、異なる変調タイプが使用されてよい。たとえば、ゼロヘッドのサイズＮhおよびゼロテールのサイズＮtを指示するために、送信ＷＴＲＵは、Ｎt＝６４のときには２値位相シフトキーイング（ＢＰＳＫ）変調、Ｎt＝３２のときには
【０２２２】
【数６６】
2019501560.tif 000068
【０２２３】
の使用など、異なるタイプの変調指令を使用することができる。受信ＷＴＲＵは、ゼロヘッドのサイズＮhおよびゼロテールのサイズＮtを決定するために、変調タイプを無分別に（blindly）検知してよい。
【０２２４】
図１６は、送信のための、多長ＺＴのＤＦＴ−ｓ−ＯＦＤＭ信号を生成するための、例示のプロシージャ１６００の流れ図を示す。プロシージャ１６００は、たとえば任意のＷＴＲＵ、基地局、またはｅＮｏｄｅＢなどの送信デバイスによって遂行されてよい。１６０２において、送信デバイスは、複数のサブバンドを含むことができる周波数リソースの割り当てを選択（または受信）してよい。１６０４において、送信デバイスは、（受信）ＷＴＲＵ（すなわちユーザ）に対してサブバンドを割り当ててよい。１６０６において、送信デバイスは、ＩＳＩを抑制するためのパターンに従って、割り当てられたサブバンドの各々に対してゼロヘッドの長さおよびゼロテールの長さを割り当ててよい。１６０８において、送信デバイスは、割り当てられたゼロヘッドの長さおよび割り当てられたゼロテールの長さに従って、割り当てられたサブバンドにわたる送信のためのＺＴのＤＦＴ−ｓ  ＯＦＤＭ信号を生成してよい。
【０２２５】
特定の組合せにおける特徴および要素が上記で説明されているが、当業者なら、それぞれの特徴または要素が、単独で、または他の特徴および要素との任意の組合せで使用されることができるのを理解するであろう。加えて、本明細書で説明された方法は、コンピュータプログラム、ソフトウェア、またはコンピュータもしくはプロセッサによって実行するようにコンピュータ可読媒体に組み込まれたファームウェアで実施されてよい。コンピュータ可読媒体の例は、電気信号（有線接続またはワイヤレス接続によって送信される）およびコンピュータ可読記憶媒体を含む。
【０２２６】
コンピュータ可読記憶媒体の例は、それだけではないが、読取り専用メモリ（ＲＯＭ）、ランダムアクセスメモリ（ＲＡＭ）、レジスタ、キャッシュメモリ、半導体メモリ素子、内部ハードディスクおよび取外し可能ディスクなどの磁気媒体、光磁気媒体、およびＣＤ−ＲＯＭディスクなどの光媒体、およびデジタル多用途ディスク（ＤＶＤ）を含む。ＷＴＲＵ、ＵＥ、端末、基地局、ＲＮＣ、または任意のホストコンピュータに用いる無線周波数トランシーバを実施するために、ソフトウェアと連携するプロセッサが使用されてよい。
【図１Ａ】
2019501560.tif 000069
【図１Ｂ】
2019501560.tif 000070
【図１Ｃ】
2019501560.tif 000071
【図２】
2019501560.tif 000072
【図３Ａ】
2019501560.tif 000073
【図３Ｂ】
2019501560.tif 000074
【図４】
2019501560.tif 000075
【図５Ａ】
2019501560.tif 000076
【図５Ｂ】
2019501560.tif 000077
【図６】
2019501560.tif 000078
【図７Ａ】
2019501560.tif 000079
【図７Ｂ】
2019501560.tif 000080
【図８】
2019501560.tif 000081
【図９】
2019501560.tif 000082
【図１０】
2019501560.tif 000083
【図１１Ａ】
2019501560.tif 000084
【図１１Ｂ】
2019501560.tif 000085
【図１２】
2019501560.tif 000086
【図１３】
2019501560.tif 000087
【図１４】
2019501560.tif 000088
【図１５】
2019501560.tif 000089
【図１６】
2019501560.tif 000090
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
ネットワークデバイスによって実行される方法であって、
前記ネットワークデバイスによって、送信のための周波数リソースの割り当てを選択するステップであって、前記周波数リソースは複数のサブバンドを含む、ステップと、
前記ネットワークデバイスによって、前記複数のサブバンドのうちの１つまたは複数を、複数のワイヤレス送信／受信ユニット（ＷＴＲＵ）のそれぞれに割り当てるステップと、
前記ネットワークデバイスによって、ゼロヘッドの長さおよびゼロテールの長さを、１つまたは複数のパターンに基づいて、前記複数のサブバンドのうちの前記割り当てられた１つまたは複数のそれぞれに割り当てるステップと、
前記ネットワークデバイスによって、前記複数のサブバンドのうちの前記割り当てられた１つまたは複数に対して、前記割り当てられたゼロヘッドの長さに基づくゼロヘッドと、前記割り当てられたゼロテールの長さに基づくゼロテールとを伴う、多長ゼロテール（ＺＴ）の離散フーリエ変換拡散の直交周波数分割多重化（ＤＦＴ−ｓ  ＯＦＤＭ）信号を生成するステップと、
前記ネットワークデバイスによって、前記多長ＺＴのＤＦＴ−ｓ  ＯＦＤＭ信号を送信するステップと
を含む方法。
【請求項２】
前記１つまたは複数のパターンは、隣接したサブバンド間で、前記ゼロヘッドの長さおよび前記ゼロテールの長さを増加させることまたは減少させることを含む、請求項１に記載の方法。
【請求項３】
前記複数のサブバンドのうちの前記１つまたは複数を前記複数のＷＴＲＵのそれぞれに割り当てる前記ステップは、隣接したサブバンドを、同じチャネル遅延プロファイルを有するＷＴＲＵに割り当てるステップを含む、請求項１に記載の方法。
【請求項４】
前記ゼロヘッドの長さおよび前記ゼロテールの長さを、前記複数のサブバンドのうちの前記割り当てられた１つまたは複数のそれぞれに割り当てる前記ステップは、第１のタイムスロットにおける第１の割り当てられたサブバンドに対する前記割り当てられたゼロヘッドの長さおよび前記割り当てられたゼロテールの長さが、前記第１のタイムスロットに直ちに続く第２のタイムスロットでは異なるように、割り当てられた時限内の各タイムスロットにおいて繰り返される、請求項１に記載の方法。
【請求項５】
前記多長ＺＴのＤＦＴ−ｓ  ＯＦＤＭ信号のゼロにされた部分の間に１つまたは複数の測定が実行される、請求項１に記載の方法。
【請求項６】
プロセッサおよび少なくとも１つのアンテナに結合されたトランシーバを備えるネットワークデバイスであって、
前記プロセッサは、送信のための周波数リソースの割り当てを選択するように構成されており、前記周波数リソースは複数のサブバンドを含み、
前記プロセッサは、前記複数のサブバンドのうちの１つまたは複数を、複数のワイヤレス送信／受信ユニット（ＷＴＲＵ）のそれぞれに割り当てるように構成されており、
前記プロセッサは、ゼロヘッドの長さおよびゼロテールの長さを、１つまたは複数のパターンに基づいて、前記複数のサブバンドのうちの前記割り当てられた１つまたは複数のそれぞれに割り当てるように構成されており、
前記プロセッサは、前記複数のサブバンドのうちの前記割り当てられた１つまたは複数に対して、前記割り当てられたゼロヘッドの長さに基づくゼロヘッドと、前記割り当てられたゼロテールの長さに基づくゼロテールとを伴う、多長ゼロテール（ＺＴ）の離散フーリエ変換拡散の直交周波数分割多重化（ＤＦＴ−ｓ  ＯＦＤＭ）信号を生成するように構成されており、
前記トランシーバは、前記多長ＺＴのＤＦＴ−ｓ  ＯＦＤＭ信号を送信するように構成されているネットワークデバイス。
【請求項７】
前記１つまたは複数のパターンは、隣接したサブバンド間の長さを増加させるかまたは減少させることを含む、請求項６に記載のネットワークデバイス。
【請求項８】
前記複数のサブバンドのうちの前記１つまたは複数を前記複数のＷＴＲＵのそれぞれに割り当てるように構成された前記プロセッサは、隣接したサブバンドを、同じチャネル遅延プロファイルを有するＷＴＲＵに割り当てることを含む、請求項６に記載のネットワークデバイス。
【請求項９】
前記ゼロヘッドの長さおよび前記ゼロテールの長さを、前記複数のサブバンドのうちの前記割り当てられた１つまたは複数のそれぞれに割り当てるように構成された前記プロセッサは、第１のタイムスロットにおける第１の割り当てられたサブバンドに対する前記割り当てられたゼロヘッドの長さおよび前記割り当てられたゼロテールの長さが、前記第１のタイムスロットに直ちに続く第２のタイムスロットでは異なるように、割り当てられた時限内の各タイムスロットにおいて繰り返される、請求項６に記載のネットワークデバイス。
【請求項１０】
前記多長ＺＴのＤＦＴ−ｓ  ＯＦＤＭ信号のゼロにされた部分の間に１つまたは複数の測定が実行される、請求項６に記載のネットワークデバイス。
【請求項１１】
プロセッサおよび少なくとも１つのアンテナに結合されたトランシーバを備えるワイヤレス送信／受信ユニット（ＷＴＲＵ）であって、
前記トランシーバは、多長ゼロテール（ＺＴ）の離散フーリエ変換拡散の直交周波数分割多重化（ＤＦＴ−ｓ  ＯＦＤＭ）信号を受信するように構成されており、
前記多長ＤＦＴ−ｓ  ＯＦＤＭ信号は、前記ＷＴＲＵに割り当てられた複数のサブバンドのうちの１つまたは複数を含み、１つまたは複数のパターンに基づく前記複数のサブバンドのうちの前記割り当てられた１つまたは複数のそれぞれに対するゼロヘッドおよびゼロテールを含むＷＴＲＵ。
【請求項１２】
前記１つまたは複数のパターンは、隣接したサブバンド間の長さを増加させるかまたは減少させることを含む、請求項１１に記載のＷＴＲＵ。
【国際調査報告】
2019501560.tif 000091
2019501560.tif 000092